(57)【特許請求の範囲】
【請求項１】
男性器に装着されて男性器から排泄される尿を吸収する尿吸収物品であって、
内側面を構成する液透過性のトップシートと、外側面を構成する液不透過性のバックシートと、前記トップシートおよび前記バックシートの間に介在する吸収体とを有し、第１方向に開口する第１開口と、前記第１開口に空間的に繋がっており、前記第１方向に交差する第２方向に開口する第２開口とを形成する開口形成部を有する袋体と、
前記第１開口と前記第２開口とによって左右に分離された前記開口形成部の両側の側面部の一方側に基端部が固定されており、前記袋体の側面に接合可能な接合部を有し、前記開口形成部の周囲に巻き付けられることによって、前記開口形成部の開口の大きさを固定する開口固定部と、
を備え、
前記接合部は、
前記開口固定部の前記一方側の側面部から突出する部分において前記基端部側に偏在し、前記両側の側面部の他方側に接合される第１接合部と、
前記開口固定部における前記第１接合部よりも他端側の位置に、前記袋体の側面に接合しない部分を介して前記第１接合部から分離して設けられる第２接合部と、
を含む尿吸収物品。
【請求項２】
請求項１に記載の尿吸収物品において、
前記開口固定部が帯状体であり、
前記第１接合部と前記第２接合部とが、同一の前記帯状体の表面上に設けられており、前記第１接合部が前記第２接合部よりも前記基端部側の位置に設けられている尿吸収物品。
【請求項３】
請求項１または２に記載の尿吸収物品において、
前記第１接合部は、前記第２接合部よりも小さい尿吸収物品。
【請求項４】
請求項１から３までのいずれか１項に記載の尿吸収物品において、
前記接合部がフック材を含む面ファスナーで構成されている尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着の内側で男性器に装着され、男性器から排泄される尿を吸収する尿吸収物品が知られている。このような尿吸収物品の例として、特許文献１には、開口形成部を有する袋体を構成し、開口形成部を介して袋体の内部に男性器を挿入するものが記載されている。
【先行技術文献】
【特許文献】
【０００３】
【特許文献１】特開２００４−１５９７２４号公報
【発明の概要】
【発明が解決しようとする課題】
【０００４】
従来の尿吸収物品では、袋体の開口形成部に埋設された弾性部材によって男性器を保持することにより、袋体を男性器に装着するようにしていた。そのため、男性器から袋体が外れやすくなっており、未吸収の尿が開口部から溢れ出すおそれがあった。
【０００５】
本発明は、このような事情に鑑みなされたものであり、尿吸収物品の袋体を、男性器にしっかりと装着するための技術を提供することを目的とする。
【課題を解決するための手段】
【０００６】
上記の課題を解決するため、第１の態様は、男性器に装着されて男性器から排泄される尿を吸収する尿吸収物品であって、内側面を構成する液透過性のトップシートと、外側面を構成する液不透過性のバックシートと、前記トップシートおよび前記バックシートの間に介在する吸収体とを有し、第１方向に開口する第１開口と、前記第１開口に空間的に繋がっており、前記第１方向に交差する第２方向に開口する第２開口とを形成する開口形成部を有する袋体と、前記第１開口と前記第２開口とによって左右に分離された前記開口形成部の両側の側面部の一方側に基端部が固定されており、前記袋体の側面に接合可能な接合部を有し、前記開口形成部の周囲に巻き付けられることによって、前記開口形成部の開口の大きさを固定する開口固定部と、を備え、前記接合部は、前記開口固定部の前記一方側の側面部から突出する部分において前記基端部側に偏在し、前記両側の側面部の他方側に接合される第１接合部と、前記開口固定部における前記第１接合部よりも他端側の位置に、前記袋体の側面に接合しない部分を介して前記第１接合部から分離して設けられる第２接合部とを含む。
【０００７】
また、第２の態様は、第１の態様に係る尿吸収物品において、前記開口固定部が帯状体であり、前記第１接合部と前記第２接合部とが、同一の前記帯状体の表面上に設けられており、前記第１接合部が前記第２接合部よりも前記基端部側の位置に設けられている。
【００１０】
また、第３の態様は、第１または第２の態様に係る尿吸収物品において、前記第１接合部は、前記第２接合部よりも小さい。
【００１１】
また、第４の態様は、第１から第３の態様までのいずれか１態様に係る尿吸収物品において、前記接合部がフック材を含む面ファスナーで構成されている。
【発明の効果】
【００１２】
第１から第４の態様に係る尿吸収物品によれば、基端部側に偏在する第１接合部を袋体の他方側の側面部に接合させて仮止めすることにより、基端部が固定された一方側の側面部と、第１接合部に接合させた他方側の側面部とを一緒に引っ張りあげることができる。したがって、両側の側面部を共に男性器の周囲に巻き付けることができるため、袋体を男性器に良好に装着させることができる。
【００１３】
特に、第２の態様に係る尿吸収物品によれば、第２の態様に係る尿吸収物品によれば、１の部材で仮止め及び本止めが実現できるため、加工の工程数や材料コストを抑えることができる。したがって、製造コストを低減できる。
【００１４】
また、第１から第４の態様に係る尿吸収物品によれば、第１接合部と第２接合部とに分離されている接合部を設けることにより、開口固定部表面における接合部の面積を小さくできる。したがって、開口固定部の柔軟性を確保することができる。
【００１６】
特に、第３の態様に係る尿吸収物品によれば、第１接合部を第２接合部よりも小さくすることで、第１接合部近傍の柔軟性を確保することができる。
【００１７】
特に、第４の態様に係る尿吸収物品によれば、接合部を安価に構成することができる。
【図面の簡単な説明】
【００１８】
【図１】第１実施形態に係る採尿パッドの全体図である。
【図２】図１に示すＩＩ−ＩＩ位置から見た採尿パッドの断面図である。
【図３】図２に示すＩＩＩ−ＩＩＩ位置から見た袋体の断面図である。
【図４】張り出し部の上部を拡大して示す側面図である。
【図５】採尿パッドの展開図である。
【図６】採尿パッドを男性器に装着している様子を示す図である。
【図７】おむつがさらに着用されたときの、男性器に装着された採尿パッドを示す図である。
【図８】第２実施形態に係る採尿パッドの全体図である。
【図９】第３実施形態に係る採尿パッドの全体図である。
【図１０】第４実施形態に係る採尿パッドの全体図である。
【発明を実施するための形態】
【００１９】
以下、実施形態について、図面を参照しつつ説明する。
【００２０】
＜１．第１実施形態＞
図１は、第１実施形態に係る採尿パッド１の全体図である。また、図２は、図１に示すＩＩ−ＩＩ位置から見た採尿パッド１の断面図である。採尿パッド１は、男性器（ペニス）に装着されて男性器から排泄される尿を吸収する尿吸収物品である。着用者は、この採尿パッド１を装着し、その上におむつや下着などのアウターを着用することができる。採尿パッド１を着用した場合、軽度の排尿であれば、アウターを交換することなく、採尿パッド１のみを交換すればよい。そのため、着用者の経済的負担や介護者の介護負担が軽減されるとともに、環境保護にも資する。
【００２１】
図１に示すように、本実施形態の採尿パッド１は、略矩形状の面を重ね合わせた形態の袋体１０を有している。また図２に示すように、袋体１０は、その内側面を構成するトップシート１１と、外側面を構成する液不透過性のバックシート１２と、トップシート１１およびバックシート１２の間に介在する吸収体１３とを有する。
【００２２】
袋体１０の内部に排泄された尿は、常圧下において、トップシート１１を透過するものの、バックシート１２を透過することはできず、トップシート１１およびバックシート１２の間において、吸収体１３に吸収保持される。
【００２３】
トップシート１１は、例えば、親水性繊維（セルロース、レーヨン、コットン等）を用いた不織布により構成される。なお、トップシート１１は、疎水性繊維（ポリプロピレン、ポリエチレン、ポリエステル、ポリアミド、ナイロン等）の表面を界面活性剤により処理して液透過性とした不織布により構成されていてもよい。
【００２４】
バックシート１２は、例えば、疎水性繊維（ポリプロピレン、ポリエチレン、ポリエステル、ポリアミド、ナイロン等）を用いた撥水性の不織布により構成される。なお、バックシート１２は、プラスチックフィルムにより構成されていてもよく、また、プラスチックフィルムとその外側に貼着された柔軟性の高い不織布とにより構成されていてもよい。
【００２５】
吸収体１３は、例えば、顆粒状の高分子吸収体により構成される。図２に示すように、本実施形態では、バックシート１２の内側面に、接着剤（図示省略）を介して高分子吸収体が固定され、その内側に、高分子吸収体を被覆する液透過性の補助シート１４が設けられている。これにより、バックシート１２と補助シート１４との間に、高分子吸収体がシート状に分布した状態となっている。
【００２６】
なお、吸収体１３は、トップシート１１とバックシート１２との間において、補助シート１４を介することなく保持されていてもよい。また、吸収体１３は、粉砕したパルプ繊維やセルロース繊維などの親水性繊維の集合層に、顆粒状の高分子吸収体を混合した塊を、ティッシュペーパーなどの紙シートまたは透液性の不織布シートで被覆したものにより構成されていてもよい。ただし、吸収体１３の嵩張りを抑制するためには、吸収体１３を、パルプ非存在の高分子吸収体により構成することが望ましい。
【００２７】
図１に示すように、袋体１０は、幅方向に延びる上辺部１５と、袋体１０の一方の側辺を構成し長手方向に延びる側辺部１６とを有している。この側辺部１６のうち、袋体１０の上側（底部１０ｃとは反対側の部分）の位置に、幅方向に突出する張り出し部１７が形成されている。なお、袋体１０の側辺部１６のうち、張り出し部１７の側辺を第１側辺部１６ａとし、張り出し部１７以外の側辺部分を第２側辺部１６ｂとする。
【００２８】
本実施形態では、上辺部１５の長さを、側辺部１６の長さよりも短くしているが、上辺部１５の長さを側辺部１６の長さよりも長くしてもよい。ただし、側辺部１６を長く形成することによって、袋体１０内部の開口部１０Ｐよりも下側部分に、尿を収容するための空間をより広く確保できるとともに、吸収体１３をより多く配置することができる。
【００２９】
張り出し部１７の第１側辺部１６ａは、長手方向に切り込まれており、幅方向に向けて開口する第１開口部１０Ｐａを形成している。また、張り出し部１７の上部においても、幅方向に切り込まれており、長手方向に向けて開口する第２開口部１０Ｐｂが形成されている。なお、上辺部１５の切り込みと側辺部１６の切り込みは、互いに繋がっており、第１開口部１０Ｐａと第２開口部１０Ｐｂとで、連続する一つの開口部１０Ｐが形成されている。張り出し部１７は、この開口部１０Ｐを形成する切り込みによって、側面部１７１ａと側面部１７１ｂとに左右に分離されている。
【００３０】
このように、本実施形態では、張り出し部１７が、開口部１０Ｐを形成する開口形成部を構成している。この開口部１０Ｐにより、袋体１０の内部空間が外部空間に連通する。そして開口部１０Ｐのうち、側辺部１６の第１開口部１０Ｐａから、袋体１０の内部に男性器Ｐが挿入される（図６参照）。袋体１０では、第２開口部１０Ｐｂが形成されていることにより、開口部１０Ｐを大きく拡げることができるため、男性器Ｐを挿入しやすくなっている。また、張り出し部１７のように、特徴的な構造を袋体１０に形成することによって、着用者または介護者が男性器Ｐを挿入する部分を容易に認識することができる。
【００３１】
図２に示すように、袋体１０の底部１０ｃ（上辺部１５の反対側部分）には、袋体１０の内部へ向けて折り込まれた折り込み部１８が設けられている。折り込み部１８は、トップシート１１、補助シート１４，吸収体１３、及びバックシート１２が、袋体１０の内部へ向けて折り込まれることによって形成されている。
【００３２】
採尿パッド１に折り込み部１８を設けることにより、袋体１０の長手方向の寸法が長くなることを抑制しつつ、袋体１０の内側面の表面積を広く確保している。また、このような折り込み部１８を設けることにより、トップシート１１とバックシート１２との間に多くの吸収体１３を保持できるようにしている。
【００３３】
袋体１０の底部１０ｃは、排尿前の状態においても、折り込み部１８を構成する各シート部分の嵩や、その弾性によって、若干拡がった状態に維持されている。これにより、袋体１０の上部においても、内側面同士が接触し難くなるため、袋体１０の内部により広い空間を確保することができる。
【００３４】
また、袋体１０の内部に尿が排泄されると、吸収体１３は、尿を吸収して膨潤する。これにより、折り込み部１８が展開して、袋体１０の底部１０ｃがさらに拡がることとなる。その結果、袋体１０の内部にさらに広い空間が確保される。
【００３５】
採尿パッド１は、折り込み部１８を有することにより、袋体１０の内部空間を広く確保できる構造となっている。このため、着用者が尿を排泄したときに、未吸収の尿が袋体１０から溢れ出してしまうことを軽減できる。
【００３６】
本実施形態では、折り込み部１８の折り込み深さは、袋体１０の長手方向の寸法の半分以下とされている。そして、袋体１０の内部の、折り込み部１８の頂部１８１より上辺部１５側に、男性器の全体を収容できる程度の空間Ｓが確保されている。このため、着用者の男性器Ｐから排泄された尿が、折り込み部１８の頂部１８１に直接当たりやすくなっている。これにより、吸収体１３の折り込まれた部分を効率よく膨潤させることができるため、袋体１０の底部１０ｃを良好に拡げることができる。
【００３７】
図１に戻って、張り出し部１７には、長手方向に沿って延びる糸状の弾性部材１９が複数本設けられている。弾性部材１９は、バックシート１２に取り付けられている。これら複数本の弾性部材１９は、自然長よりも伸長された状態で、接着剤などによりバックシート１２に取り付けられている。このため、複数本の弾性部材１９は、開口部１０Ｐを縮める（すなわち、開口サイズを小さくさせる）弾性力を発生させる。一方、採尿パッド１の着用者又は介護者は、弾性部材１９の弾性力に抗して、開口部１０Ｐを長手方向に容易に広げることもできる。弾性部材１９は、例えば、ポリウレタン糸で構成できるが、ポリウレタンフィルムや天然ゴムなど、その他の素材が用いられてもよい。
【００３８】
また、張り出し部１７の開口部１０Ｐ近傍は、開口部シート２０によって覆われている。すなわち、張り出し部１７は、最外部の開口部シート２０とトップシート１１とバックシート１２とで構成される。この開口部シート２０は、トップシート１１の内側面からバックシート１２の外側面に跨って、接着剤などを介して取り付けられている。開口部シート２０は、着用者の肌への当たりを和らげ、肌に対する刺激を低減させる役割を果たす。開口部シート２０は、例えば、比較的柔軟な繊維を用いた不織布により構成されるが、不織布に限定されるものではない。
【００３９】
図１および図２に示すように、袋体１０の長手方向中央部付近には、幅方向に沿って延びる糸状の弾性部材２１が複数本配置されている。なお、これら複数の弾性部材２１は、トップシート１１と補助シート１４との間の位置に配置されている。これら複数本の弾性部材２１は、自然長よりも伸長された状態で、接着剤を介してトップシート１１（もしくは補助シート１４）に貼付けられている。また、複数の弾性部材２１は、袋体１０を構成する両側の側面のそれぞれに対して、少なくとも吸収体１３を幅方向に跨ぐようにして設けられている。
【００４０】
図３は、図２に示すＩＩＩ−ＩＩＩ位置から見た袋体１０の断面図である。図３に示すように、弾性部材２１が配置された部分およびその近傍部分は、弾性部材２１の弾性力によって幅方向に縮められる。すなわち、弾性部材２１は、袋体１０に対して、幅方向に縮めるように付勢する。弾性部材２１は、袋体１０の幅方向のほぼ全幅に渡って設けられている。そのため、袋体１０の両側部分が、図３中ブロック矢印で示すように、袋体１０の内側へ引っ張られることとなる。そのため、袋体１０の両側面が外側へ突出するように、袋体１０が袋状に膨らみやすくなる。
【００４１】
なお、本実施形態では、弾性部材２１を幅方向に沿って設けているが、任意の方向に延びるように配置することが可能である。弾性部材２１を設けることによって、その延びる方向に沿って袋体１０が縮められ、袋体１０が袋状に膨らみやすくなる。
【００４２】
また、弾性部材２１は、吸収体１３が配置されている部分に設けることが好ましい。吸収体１３が配置されている部分は、その他の部分よりも剛性が高いため、弾性部材２１によって袋体１０の形が崩れることを抑制することができる。
【００４３】
なお、弾性部材２１は、バックシート１２と吸収体１３との間に設けてもよい。ただし、吸収体１３と補助シート１４との間の接着力を弱めないために、バックシート１２と吸収体１３との間よりも、トップシート１１と補助シート１４との間に設ける方が好ましい。
【００４４】
開口部１０Ｐの縁近傍には、男性器Ｐのサイズに応じて開口部１０Ｐの長手方向の大きさを固定する固定部材２２（開口調整部）が設けられている。固定部材２２は、袋体１０の長手方向に沿って延びるとともに、張り出し部１７の側面部１７１ａの側にその基端部が接着剤などで取り付けられた基材シート２２１と、基材シート２２１に設けられた雄部材２２２ａ，２２２ｂとを有する。基材シート２２１は、袋体１０の長手方向に沿って延びている。
【００４５】
図４は、張り出し部１７の上部を拡大して示す側面図である。図４に示すように、基材シート２２１は帯状体であり、張り出し部１７よりも長手方向上方に突出する他端側（上端側）の突出部２２１ａと、張り出し部１７（詳細には、開口部シート２０）に対してその一部または全部が取り付けられた基端側（下端側）の基部２２１ｂとで構成されている。突出部２２１ａのうち、基端側に偏った位置（突出部２２１ａの長手方向の中央付近Ｍよりも基端側の位置）に雄部材２２２ａが設けられており、突出部２２１ａの他端側の所定位置に雄部材２２２ｂが設けられている。このように、雄部材２２２ｂは、雄部材２２２ａとは異なる位置に設けられている。
【００４６】
雄部材２２２ａ，２２２ｂは、例えば、面ファスナーのフック材により構成されており、開口部シート２０の表面の任意の位置に対して、着脱可能となっている。なお、バックシート１２を不織布とした場合には、雄部材２２２は、バックシート１２の任意の位置に対しても着脱自在となる。このように、面ファスナーを採用することによって、接合部分を安価に構成することができる。
【００４７】
なお、固定部材２２は、必ずしも開口部シート２０に対して雄部材２２２ａ，２２２ｂを付着させる構成とする必要はない。例えば、開口部１０Ｐの近傍のバックシート１２の外側面に雌部材（例えば、面ファスナーのループ材）を設け、該雌部材に対して雄部材２２２を付着させるようにしてもよい。また、雄部材２２２ａ，２２２ｂとして粘着テープを採用してもよい。
【００４８】
図５は、採尿パッド１の展開図である。採尿パッド１は、トップシート１１、補助シート１４、吸収体１３、及びバックシート１２をこの順に積層させた、略矩形（長方形）状の積層体３０から形成される。ただし、張り出し部１７を構成する部分（図５中、左側側辺の上端部分および下端部分）については、少なくともバックシート１２が幅方向に突出するように積層体３０が形成されている。
【００４９】
図１に示す採尿パッド１を製造する際には、まず、トップシート１１が内側となり、かつ、底部１０ｃに折り込み部１８が形成されるように、積層体３０が折曲げられる。具体的には、図５に示すようにバックシート１２を表向きにした場合、積層体３０の長手方向中央部に設定された幅方向に延びる折曲線３１ａにおいて、積層体３０が裏方向に突出するように谷折りされる。さらに、折曲線３１ａを挟んだ両側の位置に設定された幅方向に延びる折曲線３１ｂ，３１ｃにおいて、積層体３０が表向きに突出するように山折りされる。
【００５０】
このようにして折り曲げられた積層体３０に対して、シール領域３２が熱シール等で接合される。このとき、張り出し部１７の第１側辺部１６ａに相当する部分と、上辺部１５の張り出し部１７側の一部に相当する部分とについて、シール接合をしないようにすることで、これらの部分に開口部１０Ｐが形成される。
【００５１】
本実施形態では、積層体３０の折り込み部１８となる部位を折り曲げた後に、熱シールによる接合が行われる。これにより、折り込み部１８を容易に形成することができる。また、折り込み部１８の両側部分も、内側へ折り込まれた状態で、熱シールにより固定される。このため、内側に折り込まれた折り込み部１８が、袋体１０の外側へ自然に展開してしまうことを抑制することができる。
【００５２】
図６は、採尿パッド１を男性器Ｐに装着している様子を示す図である。採尿パッド１を装着する際には、まず、着用者又は介護者によって、採尿パッド１の開口部１０Ｐが拡げられる。そして、拡げられた開口部１０Ｐのうち、第１側辺部１６ａの第１開口部１０Ｐａに男性器Ｐが挿入される。なお、張り出し部１７の下端に男性器Ｐの下部を当接させることで、男性器Ｐとの間に隙間が生じることを抑制しつつ、開口部１０Ｐを閉じることができる。
【００５３】
男性器Ｐが挿入されると、着用者又は介護者によって、固定部材２２の雄部材２２２ａが、側面部１７１ｂを構成する開口部シート２０に接合され、仮止めされる。雄部材２２２ａは、基材シート２１の突出部２２１ａの基端側に偏在しているため、固定部材２２に弛みが生じることを抑制しつつ、良好に仮止めを行うことができる。なお、図６では、雄部材２２２ａが側面部１７１ｂの内側面に接合されているが、外側面に接合されてもよい。この状態で基材シート２２１が上方に引っ張られると、側面部１７１ａとともに、側面部１７１ｂが引っ張りあげられ、側面部１７１ａ，１７１ｂの内側が互いに密着される。そして側面部１７１ａ，１７１ｂとともに、固定部材２２が男性器Ｐの周囲に巻き付けられて、雄部材２２２ｂが開口部シート２０に接着され、本止めされる。
【００５４】
このように、開口部１０Ｐによって左右に分離された両側の側面部１７１ａ，１７１ｂを雄部材２２２ａによる仮止めによって共に引っ張り上げて、これらを男性器Ｐの周囲に巻き付けることによって、袋体１０を男性器Ｐに強固に固定することができる。また、開口部１０Ｐを男性器Ｐのサイズに合わせてしっかりと閉じることができるため、未吸収の尿が開口部１０Ｐから溢れ出ることを抑制できる。
【００５５】
なお、仮止めのための接合力は、本止めの場合と比べて、比較的弱い力でもよい。そのため、雄部材２２２ａの設置面積を雄部材２２２ｂよりも小さくすることができる。これにより、雄部材２２２ａ近傍における基材シート２２１の柔軟性を確保できる。また、必要な材料を減らせるため、製造単価を抑制でき、環境にも良好である。
【００５６】
また、本実施形態では、張り出し部１７に開口部１０Ｐを設けているため、男性器Ｐの大きさに応じて、固定部材２２の基材シート２２１を、幅方向に突出した張り出し部１７の周囲に巻き付けることができる。したがって、採尿パッド１を男性器Ｐにしっかりと固定することができる。
【００５７】
本実施形態では、基材シート２２１は、男性器Ｐを挿入する方向（幅方向）に直交する長手方向に延在するため、男性器Ｐに巻き付けやすくなっている。なお、男性器Ｐの挿入方向と基材シート２２１の延在方向とは、必ずしも互いに直交する方向である必要は無いが、巻き付けを容易にするため、少なくとも互いに交差する方向であることが望ましい。
【００５８】
なお、張り出し部１７は、必ずしも設けなければならないものではない。例えば、袋体１０を、張り出し部１７を省略して矩形状に形成して、その矩形状の袋体に対し、一方の側辺部と上辺部とに跨る開口を形成していてもよい。
【００５９】
図７は、おむつ４０がさらに着用されたときの、男性器Ｐに装着された採尿パッド１を示す図である。図７に示すように、本実施形態の採尿パッド１では、男性器Ｐを挿入する方向が、袋体１０の幅方向となっている。そのため、採尿パッド１を装着した際に、袋体１０の底部１０ｃが男性器Ｐの下方に配置されやすくなる。したがって、おむつ４０などがさらに着用された際に、底部１０ｃ周辺が折れ曲がることを抑制できるため、底部１０ｃへ続く通路が確保されやすくなり、男性器Ｐから排泄された尿が開口部１０Ｐから漏れ出すことを効果的に抑制できる。
【００６０】
また、袋体１０の幅方向の長さは、長手方向の長さよりも短い。すなわち、長手方向に折り曲げられる場合よりも、幅方向に折り曲げられた場合の方が袋体１０に生じる皺の大きさが小さいため、排泄された尿が開口部１０Ｐから漏れ出すことを抑制できる。
【００６１】
＜２．第２実施形態＞
上記実施形態では、採尿パッド１Ａを男性器Ｐに固定する際に、固定部材２２の雄部材２２２ａによって仮止めを行い、雄部材２２２ｂによって強固に固定するようにしていたが、固定部材２２の構成は、このようなものに限られるものではない。なお、以下の説明において、第１実施形態と同様の機能を有する要素については適宜共通の符号を付して、その説明を省略する。
【００６２】
図８は、第２実施形態に係る採尿パッド１Ａの全体図である。採尿パッド１Ａには、第１実施形態の固定部材２２の代わりに、１つの雄部材２２２Ａを有する固定部材２２Ａが設けられている。この雄部材２２２Ａは、基材シート２２１のうち、第１実施形態の雄部材２２２ａが設けられていた部分から雄部材２２２ｂが設けられていた部分までの範囲の全部を覆うように設けられている。
【００６３】
このような雄部材２２２Ａが設けられた採尿パッド１Ａを、男性器Ｐに固定する場合には、第１実施形態の採尿パッド１の場合と同様に、男性器Ｐが開口部１０Ｐに挿入された後、固定部材２２Ａの雄部材２２２Ａのうち、基端側の部分（雄部材２２２ａの位置に相当する部分）が側面部１７１ｂの開口部シート２０に接合される。この状態で固定部材２２Ａが長手方向に引っ張られた後、男性器Ｐの周囲に巻き付けられ、雄部材２２２Ａの残りの部分が開口部シート２０に貼り付けされる。
【００６４】
本実施形態の採尿パッド１Ａの場合、固定部材２２Ａに対して、１つの雄部材２２２Ａを設ければよいため、採尿パッド１Ａの製造工程を簡略化することができる。ただし、第１実施形態の場合、基材シート２２１に、雄部材２２２ａと雄部材２２２ｂとを分離して設けているため、この離間部分において柔軟性を確保することができる。したがって、第１実施形態の固定部材２２の方が扱いやすいという点で有利である。
【００６５】
＜３．第３実施形態＞
上記実施形態では、１つの固定部材２２，２２Ａを使って、開口部１０Ｐの開口サイズを固定するようにしているが、固定部材の構成は、このようなものに限られるものではない。
【００６６】
図９は、第３実施形態に係る採尿パッド１Ｂの全体図である。採尿パッド１Ｂの固定部材２２Ｂでは、第１実施形態の雄部材２２２ａ，２２２ｂのそれぞれと同様の機能を有する雄部材２２２Ｂａ，２２２Ｂｂを備えている。ただし、本実施形態では、図９に示すように、雄部材２２２Ｂａ，２２１Ｂｂが、互いに分離された基材シート２２１Ｂａ，２２１Ｂｂの端部にそれぞれ設けられている。基材シート２２１Ｂａ，２２１Ｂｂの基端部は、基材シート２２１と同様に、袋体１０の側面部１７１ａに取り付けられている。
【００６７】
このように雄部材２２２Ｂｂは、基材シート２２１Ｂａとは別体である基材シート２２１Ｂｂ上に設けられている。図９に示すように、基材シート２２１Ｂａ，２２１Ｂｂのうち、側面部１７１ａよりも長手方向上側に突出する部分を、１つの突出部２２３として想定したときに、雄部材２２２Ｂａの位置は、突出部２２３の中央付近ＭＢよりも基材シート２２１Ｂａ，２２１Ｂｂの基端側に偏った位置に設定されている。
【００６８】
なお、第１実施形態のように、固定部材２２が１つの基材シート２２１で構成されている方が、加工の工程数を削減できるという点で有利である。しかしながら、本実施形態においても、採尿パッド１Ｂを男性器Ｐに固定する際に、雄部材２２２Ｂａを側面部１７１ｂに貼り付けて仮止めを行い、その状態で基材シート２２１Ｂｂを長手方向上方に引っ張ることで、側面部１７１ａ，１７１ｂの内側を密着させることができる。そして固定部材２２Ｂを男性器Ｐに巻き付けた後に雄部材２２２Ｂｂを貼り付けて固定することによって、開口部１０Ｐと男性器Ｐとの間に隙間が発生することを抑制しつつ、採尿パッド１Ｂを男性器Ｐに固定できる。
【００６９】
＜４．第４実施形態＞
上記実施形態では、袋体の側辺部に形成された開口部から男性器Ｐを挿入するようにしていたが、袋体の構成はこのようなものに限られるものではない。
【００７０】
図１０は、第４実施形態に係る採尿パッド１Ｃの全体図である。採尿パッド１Ｃは、底部１０ｃと対向する上辺部１５Ｃに、袋体１０Ｃの長手方向に開口する第１開口部１０ＣＰａが形成されている。そして両側の側辺部のうち、上辺部１５Ｃに連続する一方の側辺部１６Ｃに、第１開口部１０ＣＰａと空間的に繋がる第２開口部１０ＣＰｂが形成されている。第２開口部１０ＣＰｂは、長手方向に略直交する幅方向に開口している。袋体１０Ｃにおいても、第１開口部１０ＣＰａおよび第２開口部１０ＣＰｂによって、１つの開口部１０ＣＰが形成されている。
【００７１】
固定部材２２は、その基端部が第２開口部１０ＣＰｂにより左右に分離された側面部１７１Ｃａ，１７１Ｃｂのうちの一方の側面部１７１Ｃａに固定されている。固定部材２２は、側辺部１６Ｃよりも幅方向に突出するように設けられており、その突出する部分に、雄部材２２２ａ，２２２ｂが設けられている。
【００７２】
このような採尿パッド１Ｃを男性器Ｐに装着させる場合について説明する。本実施形態では、男性器Ｐが長手方向に開口する第１開口部１０ＣＰａに挿入され、その状態で雄部材２２２ａが反対側の側面部１７１Ｃｂの開口部シート２０に貼り付けられる。そして基材シート２２１が幅方向に引っ張られることによって、側面部１７１Ｃａ，１７１Ｃｂの内側面が密着する。この状態で固定部材２２が男性器Ｐの周りに巻き付けられることによって、開口部１０ＣＰの開口サイズが男性器Ｐに合わせて固定される。
【００７３】
以上のように、男性器Ｐを挿入する方向が長手方向の場合においても、固定部材２２を設けることによって、採尿パッド１Ｃを男性器Ｐにしっかりと固定することができるとともに、排泄された尿が開口部１０ＣＰから溢れ出ることを抑制することができる。
【００７４】
なお、第１実施形態の採尿パッド１では、第１側辺部１６ａに開口部を設けるため、尿の重みなどの影響で袋体１０が下側に引っ張られた場合に、袋体１０の内側上部が男性器に引っ掛かりやすい。したがって、本実施形態のように男性器Ｐが上部から挿入されて固定される袋体１０Ｃに比べて、第１実施形態の袋体１０は、男性器Ｐから外れ難くなっている。
【００７５】
＜５．変形例＞
以上、実施形態について説明したが、本発明は上記の実施形態に限定されるものではない。なお、以下の説明において、上記実施形態と同様の機能を有する要素については適宜同一符号を付して、その説明を省略する。
【００７６】
例えば上記実施形態では、張り出し部１７を除く袋体１０の部分を矩形状に構成するとしているが、このような形状に限られるものではない。袋体１０が、例えば菱形状等に形成されていてもよい。
【００７７】
また、上記実施形態では、積層体３０を折曲した後に、熱シールによる接合を行っていたが、積層体３０を二つ折りにして先に両側辺および上辺部１５をシールした後、袋体１０の底部を袋体の内部へ向けて折り込んで、折り込み部１８を形成するようにしてもよい。
【００７８】
また、上記実施形態では、張り出し部１７を設けることによって、着用者や介護者が男性器Ｐを挿入する開口部１０Ｐの位置を容易に認識できるようにしている。ここで、開口部１０Ｐ近傍を周囲とは異なる色で彩色したり、開口部を矢印などで指し示したりするなど、視覚的に開口部の位置を認識し得る標識手段を袋体に付与することによって、開口部１０Ｐの位置を分かりやすくしてもよい。
【００７９】
また、上記実施形態では、略矩形状の積層体３０を折曲してその両側辺をシールすることにより、袋体１０が構成されていたが、袋体１０は、必ずしも単一の積層体３０から形成されたものでなくてもよい。例えば、複数枚の積層体を接合することで連結し、１つの袋体１０を構成するようにしてもよい。
【符号の説明】
【００８０】
１，１Ａ，１Ｂ，１Ｃ  採尿パッド
１０，１０Ｃ  袋体
１０Ｐ，１０ＣＰ  開口部
１０Ｐａ，１０ＣＰａ  第１開口部
１０Ｐｂ，１０ＣＰｂ  第２開口部
１１  トップシート
１２  バックシート
１３  吸収体
１５，１５Ｃ  上辺部
１６，１６ａ，１６ｂ，１６Ｃ  側辺部
１６ａ  側辺部
１６ｂ  側辺部
１７  張り出し部
１７１ａ，１７１ｂ，１７１Ｃａ，１７１Ｃｂ  側面部
１８  折り込み部
１８１  頂部
２２，２２Ａ，２２Ｂ  固定部材
２２１，２２１Ｂａ，２２１Ｂｂ  基材シート
２２１ａ  突出部
２２１ｂ  基部
２２２，２２２ａ，２２２ｂ，２２２Ａ，２２２Ｂａ，２２２Ｂｂ  雄部材
３０  積層体
３１ａ，３１ｂ，３１ｃ  折曲線
３２  シール領域
Ｐ  男性器
Ｓ  空間
【図１】
0005530713.tif 000002
【図２】
0005530713.tif 000003
【図３】
0005530713.tif 000004
【図４】
0005530713.tif 000005
【図５】
0005530713.tif 000006
【図６】
0005530713.tif 000007
【図７】
0005530713.tif 000008
【図８】
0005530713.tif 000009
【図９】
0005530713.tif 000010
【図１０】
0005530713.tif 000011